(57)【特許請求の範囲】
【請求項１】
ケーブルにより伝送される伝送信号の低周波成分を除去するハイパスフィルタを備えたフィルタ装置において、
前記ハイパスフィルタが、コイル及びコンデンサのみから成るＬＣハイパスフィルタから構成され、
前記ハイパスフィルタによって除去される伝送信号の低周波成分を抽出するコイル及びコンデンサのみから成るＬＣローパスフィルタと、
前記ＬＣローパスフィルタにより抽出された伝送信号の低周波成分を交流／直流変換して直流電源に変換する検波回路と、
前記ハイパスフィルタを通過した伝送信号を増幅するアンプと、を備え、
前記アンプは、前記検波回路によって変換された直流電源と、他の直流電源と、が供給されて駆動する
ことを特徴とするフィルタ装置。
【発明の詳細な説明】
【技術分野】
【０００１】
本発明は、フィルタ装置に係り、ケーブルに流れる伝送信号の低周波成分を除去するハイパスフィルタを備えたフィルタ装置に関するものである。
【背景技術】
【０００２】
ＨＤＭＩなどの高速伝送ケーブルにおいては、その減衰特性が周波数特性をもつ（一般に周波数が高いほど減衰が増える）。このため、ケーブルにより伝送される伝送信号には、図５（ａ）に示すように波形のなまりが生じてしまい、図６（ａ）に示すようにアイパターンが閉じてしまう、という問題があった。
【０００３】
上記問題を解決するため、例えば図７に示すように、ハイパスフィルタ１００を備えたイコライザ１０１（フィルタ装置）付のケーブル１０２が提案されている（非特許文献１）。このハイパスフィルタ１００により低周波成分が減衰されるため、伝送信号の減衰量が周波数に関係なくほぼ一定となり、図５（ｂ）に示すように波形のなまりがなくなり、図６（ｂ）に示すようにアイパターンが開くことができる。
【０００４】
しかしながら、上述したハイパスフィルタ１００は、抵抗ＲとコンデンサＣとから成るされるＣＲフィルタから構成されている。このため、ハイパスフィルタ１００により減衰特性は改善するが、低周波成分のエネルギーがハイパスフィルタ１００の抵抗Ｒで消費されてしまい、無駄になってしまう、という問題があった。
【先行技術文献】
【特許文献】
【０００５】
【非特許文献１】パナソニック、“ＲＰ−ＣＤＨＧ８０カタログ”
【発明の概要】
【発明が解決しようとする課題】
【０００６】
そこで、本発明は、ハイパスフィルタにより除去された低周波成分を直流電源として再利用することで、省電力化を図ることができるフィルタ装置を提供することを課題とする。
【課題を解決するための手段】
【０００７】
上述した課題を解決するための請求項１記載の発明は、ケーブルにより伝送される伝送信号の低周波成分を除去するハイパスフィルタを備えたフィルタ装置において、前記ハイパスフィルタが、コイル及びコンデンサのみから成るＬＣハイパスフィルタから構成され、前記ハイパスフィルタによって除去される伝送信号の低周波成分を抽出するコイル及びコンデンサのみから成るＬＣローパスフィルタと、前記ＬＣローパスフィルタにより抽出された伝送信号の低周波成分を交流／直流変換して直流電源に変換する検波回路と、前記ハイパスフィルタを通過した伝送信号を増幅するアンプと、を備え、前記アンプは、前記検波回路によって変換された直流電源と、他の直流電源と、が供給されて駆動することを特徴とするフィルタ装置に存する。
【発明の効果】
【００１０】
以上説明したように請求項１記載の発明によれば、ハイパスフィルタ、ローパスフィルタから抵抗をなくして、ハイパスフィルタにより除去される伝送信号の低周波成分をＬＣローパスフィルタで抽出して、ＬＣローパスフィルタにより抽出した伝送信号の低周波成分を検波回路で直流電源に変換することにより、ハイパスフィルタにより除去された低周波成分を直流電源として再利用することができ、省電力化を図ることができる。
【００１２】
また、請求項１記載の発明によれば、アンプの駆動電力を節約でき、省電力化を図ることができる。
【図面の簡単な説明】
【００１３】
【図１】本発明のフィルタ装置としてのイコライザを組み込んだＨＭＤＩケーブルの外観を示す構成図である。
【図２】図１に示すイコライザを組み込んだＨＭＤＩケーブルの電気構成図である。
【図３】図２に示す電気構成図のさらに詳細を示す図である。
【図４】図２に示すＨＰＦの周波数特性を示すグラフである。
【図５】（ａ）はイコライザが用いられていないときのケーブルを伝送する伝送信号を示すタイムチャートであり、（ｂ）はイコライザが用いられているときのケーブルを伝送する伝送信号のタイムチャートである。
【図６】（ａ）はイコライザが用いられていないときのケーブルを伝送する伝送信号のアイパターンであり、（ｂ）はイコライザが用いられているときのケーブルを伝送する伝送信号のアイパターンである。
【図７】従来のイコライザ付ケーブルの電気構成図である。
【発明を実施するための形態】
【００１４】
以下、本発明のフィルタ装置を図面に基づいて説明する。図１は、本発明のフィルタ装置としてのイコライザを組み込んだＨＤＭＩケーブルの一実施形態を示す電気構成図である。図２は、図１に示すイコライザを組み込んだＨＤＭＩケーブルの電気構成図である。図１に示すように、ＨＤＭＩケーブル１（以下単にケーブル１と略記する）は、その両端に入力コネクタ２１及び出力コネクタ２２が設けられている。
【００１５】
このケーブル１の入力コネクタ２１が例えばＤＶＤプレーヤーなどの入力端末３に接続されると共に、出力コネクタ２２が液晶表示器などの出力端末４に接続されている。これにより、入力端末３から出力される映像信号などの伝送信号が、ケーブル１を伝送して出力端末４に入力される。また、上述したケーブル１の出力コネクタ２２側にはフィルタ装置としてのイコライザ５が設けられている。
【００１６】
イコライザ５は、ケーブル１上に設けられたハイパスフィルタ５１（以下ＨＰＦ５１）を備えている。ＨＰＦ５１は、図４に示すような周波数特性を有し、ケーブル１により伝送される伝送信号の低周波成分を除去する（即ち周波数が低い伝送信号ほど減衰させる）。上述した背景技術でも説明したように、ＨＤＭＩなどのケーブル１は、周波数が高い伝送信号ほど減衰させる周波数特性を有している。よって、ケーブル１を伝送した結果、イコライザ５内のＨＰＦ５１には、周波数が高いほど減衰した伝送信号が入力される。
【００１７】
このように、周波数が高いほど減衰した伝送信号をケーブル１の周波数特性とは逆の周波数が低いほど伝送信号を減衰させるＨＰＦ５１に入力することにより、ＨＰＦ５１を通過した伝送信号は、その減衰量が周波数に関係なくほぼ一定となり、図５（ｂ）に示すように波形のなまりがなく、図６（ｂ）に示すようにアイパターンを開くことができる。
【００１８】
本実施形態では、上述したＨＰＦ５１として、従来のように抵抗Ｒを用いたＣＲハイパスフィルタではなく、図３に示すように、抵抗Ｒを除いたコイルＬ及びコンデンサＣのみから成るＬＣハイパスフィルタから構成されている。即ち、フィルタを構成する抵抗Ｒ、コイルＬ及びコンデンサＣのうち抵抗Ｒを除いたコイルＬ及びコンデンサＣのみからＨＰＦ５１を構成することにより、従来のように伝送信号の抵抗Ｒでの電力消費がなくなる。
【００１９】
また、イコライザ５は、上記ＨＰＦ５１によって除去される伝送信号の低周波成分を抽出するローパスフィルタ５２（以下ＬＰＦ５２）と、ＬＰＦ５２により抽出された伝送信号の低周波成分を交流／直流変換して直流電源に変換する検波回路５３と、この検波回路５３によって変換された直流電源が供給される負荷としてのアンプ５４と、を備えている。
【００２０】
上記ＬＰＦ５２及び検波回路５３は、上述したＨＰＦ５１の入力と後述するアンプ５４の電源端子との間に直列に設けられている。上記ＬＰＦ５２は、ケーブル１の周波数特性とほぼ同じ周波数特性を有し、ケーブル１により伝送される伝送信号の高周波成分を除去する（即ち周波数が高い伝送信号ほど減衰させる）。これにより、ＬＰＦ５２からはＨＰＦ５１によって除去された伝送信号の低周波成分が出力される。
【００２１】
本実施形態では、上述したＬＰＦ５２は、ＨＰＦ５１と同様に、抵抗Ｒを除いたコイルＬ及びコンデンサＣのみからなるＬＣローパスフィルタから構成されている。即ち、フィルタを構成する抵抗Ｒ、コイルＬ及びコンデンサＣのうち抵抗Ｒを除いたコイルＬ及びコンデンサＣのみからＬＰＦ５２を構成することにより、伝送信号の抵抗Ｒでの電力消費がなくなる。上記検波回路５３としては、一般的な交流／直流変換回路を用いればよい。
【００２２】
上記アンプ５４は、ケーブル１上の上記ＨＰＦ５１の出力に設けられている。アンプ５４は、ＨＰＦ５１やケーブル１によって減衰した伝送信号を増幅して出力コネクタ２２に出力する。このアンプ５４の電源端子には、上述した検波回路５３によって変換された直流電源が供給されている。現在のところ、ＨＤＭＩのようなケーブル１における伝送信号の電力はアンプ５４を駆動できるほどの直流電源が検波回路５３から得られるものではない。
【００２３】
このため、実際にはアンプ５４の電源端子には、他の直流電源も供給されていて、この検波回路５３からの直流電源は補助的に使うこととなる。
【００２４】
上述したイコライザ５を組み込んだケーブル１によれば、ＨＰＦ５１、ＬＰＦ５２から抵抗Ｒをなくして、ＨＰＦ５１により除去される伝送信号の低周波成分をＬＰＦ５２で抽出して、ＬＰＦ５２により抽出した伝送信号の低周波成分を検波回路５３で直流電源に変換することにより、ＨＰＦ５１により除去された低周波成分を直流電源として再利用することができ、省電力化を図ることができる。
【００２５】
また、上述したイコライザ５を組み込んだケーブル１によれば、負荷としてアンプ５４の駆動電力を節約でき、省電力化を図ることができる。
【００２６】
なお、上述した実施形態では、検波回路５３により変換された直流電源が供給される負荷をアンプ５４としていたが、本発明はこれに限ったものではない。アンプ５４以外の他の負荷であってもよい。
【００２７】
また、上述した実施形態では、ＨＰＦ５１、ＬＰＦ５２として図３に示されたものを一例としてあげていたが、本発明はこれに限ったものではない。ＨＰＦ５１、ＬＰＦ５２としては、抵抗Ｒを除いたコイルＬ及びコンデンサＣのみで構成されているものであれば他の公知のＬＣハイパスフィルタ、ＬＣローパスフィルタを用いても良い。
【００２８】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００２９】
１    ケーブル
５    イコライザ（フィルタ装置）
５１  ハイパスフィルタ（ＬＣハイパスフィルタ）
５２  ローパスフィルタ（ＬＣローパスフィルタ）
５３  検波回路
５４  アンプ
【図１】
0005555501.tif 000002
【図２】
0005555501.tif 000003
【図３】
0005555501.tif 000004
【図４】
0005555501.tif 000005
【図５】
0005555501.tif 000006
【図６】
0005555501.tif 000007
【図７】
0005555501.tif 000008